(57)【特許請求の範囲】
【請求項１】
電流の供給により出力軸を正回転または逆回転するワイパモータと、
前記ワイパモータの出力軸に一端部が結合されたモータアームと、
前記モータアームの他端部に固定された枢軸と、
前記枢軸の中心に対して偏芯した回動中心をもって回動可能に該枢軸に支持されている偏芯メタル部材と、
前記偏芯メタル部材に球面対偶を介して回動可能に連結されたリテーナをもつリンク機構と、
前記リンク機構に連結され、前記ワイパモータの正回転により払拭面上の第１、第２の反転位置の間を往復で払拭するとともに、前記ワイパモータの逆回転によりこの第１の反転位置より下方の格納位置まで移動されるワイパブレードと、
前記モータアームの回転に伴い前記リテーナに対しては回動されずに該モータアームとの相対的な位置が徐々に変更されるように回動する前記偏芯メタル部材の回動範囲を規制する回動規制機構とを備えたワイパ装置であって、
前記回動規制機構は、前記モータアームに固定された前記枢軸の周りの該モータアーム上に固定されたピンと、前記偏芯メタル部材に一体に形成され、該ピンが遊嵌される円弧状の切欠き形にされた回動範囲規制部とから構成され、
前記回動範囲規制部の円弧状の切欠きの両端部の一方の端部には、前記ワイパブレードが第１または第２の反転位置に到達すると前記ピンに衝突して前記偏芯メタル部材の前記モータアームとの相対的な回動を規制する第１のピン衝突部が形成されるとともに、該切欠の両端部の他方の端部には、前記ワイパブレードが格納位置に到達すると前記ピンに衝突して前記偏芯メタル部材の前記モータアームとの相対的な回動を規制する第２のピン衝突部が形成され、
前記ワイパブレードが第１または第２の反転位置での反転直後に、前記ピンに衝突している第１のピン衝突部が形成された前記回動範囲規制部を一体に有する前記偏芯メタル部材を、前記リンク機構からかけられたリンク荷重により第２のピン衝突部が前記ピンに近づく位置まで瞬間的に自ら回動させ、該偏芯メタル部材を前記リテーナに対して相対的に回動させたことを特徴とするワイパ装置。
【請求項２】
偏芯メタル部材は、ワイパブレードが第１，第２の反転位置の間を往復移動する際に、回動範囲規制部の一方の端部に形成した第１のピン衝突部がピンに衝突することにより、モータアームとリテーナとのアームピッチが最短に設定されることを特徴とする請求項１に記載のワイパ装置。
【請求項３】
偏芯メタル部材は、ワイパブレードが格納位置から作動を開始するとき、および、格納位置で作動を停止するときに、回動範囲規制部の他方の端部に形成した第２のピン衝突部がピンに衝突することにより、モータアームとリテーナとのアームピッチが最長に設定されることを特徴とする請求項１または２に記載のワイパ装置。
【発明の詳細な説明】
【０００１】
【発明の属する技術分野】
この発明は、ワイパブレードで払拭面を拭うワイパ装置に関する。
【０００２】
【従来の技術】
ワイパブレードで払拭面を拭うワイパ装置としては、通電によりワイパモータの出力軸が回転することにより、その出力軸に固定されたモータアームが回転され、このモータアームの回転により、モータアームに回動可能に結合されたリンク機構が往復移動され、リンク機構の往復移動によりワイパブレードが払拭面上の第１の反転位置と第２の反転位置との間を往復で拭うものが知られている。
【０００３】
【発明が解決しようとする課題】
上記のワイパ装置において、ワイパの不使用時にワイパブレードを第１の反転位置の下方の格納位置までしまい込み移動させるための偏芯メタルをモータアーム上に配置して、この偏芯メタルにリンク機構のリテーナを回動可能に連結することによって、ワイパモータの出力軸の中心からリテーナの中心までのピッチを変更するようにしたものがあるが、偏芯メタルの回動範囲が大きく設定されていたため、ワイパブレードが第１の反転位置や第２の反転位置で反転した後に払拭面上を払拭中の位置で、偏芯メタルがリンク機構のリテーナに対し回動してしまい、その結果、払拭中のワイパブレードが一時的に停止するような動きをするという問題点があった。
【０００４】
【発明の目的】
この発明は、払拭中のワイパブレードが停止するような動きをすることがなく、円滑な作動を行うことができるワイパ装置を提供することを目的としている。
【０００５】
【発明の構成】
【０００６】
【課題を解決するための手段】
この発明の請求項１に係わるワイパ装置では、電流の供給により出力軸を正回転または逆回転するワイパモータと、ワイパモータの出力軸に一端部が結合されたモータアームと、モータアームの他端部に固定された枢軸と、枢軸の中心に対して偏芯した回動中心をもって回動可能に該枢軸に支持されている偏芯メタル部材と、偏芯メタル部材に球面対偶を介して回動可能に連結されたリテーナをもつリンク機構と、リンク機構に連結され、ワイパモータの正回転により払拭面上の第１、第２の反転位置の間を往復で払拭するとともに、ワイパモータの逆回転によりこの第１の反転位置より下方の格納位置まで移動されるワイパブレードと、モータアームの回転に伴いリテーナに対しては回動されずに該モータアームとの相対的な位置が徐々に変更されるように回動する偏芯メタル部材の回動範囲を規制する回動規制機構とを備えたワイパ装置であって、回動規制機構は、モータアームに固定された枢軸の周りの該モータアーム上に固定されたピンと、偏芯メタル部材に一体に形成され、該ピンが遊嵌される円弧状の切欠き形にされた回動範囲規制部とから構成され、回動範囲規制部の円弧状の切欠きの両端部の一方の端部には、ワイパブレードが第１または第２の反転位置に到達するとピンに衝突して偏芯メタル部材のモータアームとの相対的な回動を規制する第１のピン衝突部が形成されるとともに、該切欠の両端部の他方の端部には、ワイパブレードが格納位置に到達するとピンに衝突して偏芯メタル部材のモータアームとの相対的な回動を規制する第２のピン衝突部が形成され、ワイパブレードが第１または第２の反転位置での反転直後に、ピンに衝突している第１のピン衝突部が形成された回動範囲規制部を一体に有する偏芯メタル部材を、リンク機構からかけられたリンク荷重により第２のピン衝突部がピンに近づく位置まで瞬間的に自ら回動させ、該偏芯メタル部材をリテーナに対して相対的に回動させた構成としたことを特徴としている。
【０００７】
この発明の請求項２に係るワイパ装置では、請求項１の構成に加え、偏芯メタル部材は、ワイパブレードが第１，第２の反転位置の間を往復移動する際に、回動範囲規制部の一方の端部に形成した第１のピン衝突部がピンに衝突することにより、モータアームとリテーナとのアームピッチが最短に設定される構成としたことを特徴としている。
【０００８】
この発明の請求項３に係るワイパ装置では、請求項１または２の構成に加え、偏芯メタル部材は、ワイパブレードが格納位置から作動を開始するとき、および、格納位置で作動を停止するときに、回動範囲規制部の他方の端部に形成した第２のピン衝突部がピンに衝突することにより、モータアームとリテーナとのアームピッチが最長に設定される構成としたことを特徴としている。
【０００９】
【発明の作用】
この発明に係わるワイパ装置において、偏芯メタル部材は、ワイパブレードの第１または第２の反転位置での反転直後にリンク機構からリンク荷重がかけられると、リテーナに対し瞬間的に自ら回動される。それ故、ワイパブレードが第１の反転位置や第２の反転位置で反転した後の払拭面上を払拭中の位置では、偏芯メタル部材はリテーナに対して既に回動し終わっているので、該払拭中の位置では、偏芯メタル部材がリテーナに対して相対的に回動することはなく、払拭中のワイパブレードが一時的に停止するような動きをする原因にならない。
【００１０】
【発明の実施の形態】
【００１１】
【実施例】
図１ないし図７には、この発明に係わるワイパ装置の一実施例が示されている。図示するワイパ装置１は、主として、ワイパモータ２、モータアーム３、枢軸４、偏芯メタル部材５、回動規制機構６、リンク機構７、第１，第２のワイパアーム８，９、第１，第２のワイパブレード１０，１１から構成されている。回動規制機構６は、ピン１２、回動範囲規制部１３からなる。リンク機構７は、第１のリンクコンロッド１４、第１のピボットアーム１５、第２のリンクコンロッド１６、第２のピボットアーム１７からなる。
【００１２】
ワイパモータ２には、通電により回転する出力軸２ａが備えられているとともに図示しないワイパ格納回路が内蔵されている。ワイパモータ２は、図示しないワイパ制御回路に電気的に接続されているため、ワイパ制御回路のワイパスイッチがオンされることにより出力軸２ａが正回転する。ワイパ格納回路は、出力軸２ａに結合された図示しない位置スイッチにより、第１，第２のワイパブレード１０，１１が払拭面５０上の停止位置兼用の第１の反転位置Ａ、第２の反転位置Ｂ、格納位置Ｃにあることをそれぞれ電気的に検出し、第１，第２のワイパブレード１０，１１が第１の反転位置Ａと第２の反転位置Ｂとの間にそれぞれあるときにワイパ制御回路のワイパスイッチがオフされた際、第１，第２のワイパブレード１０，１１が第２の反転位置Ｂにそれぞれ到達するまでは、出力軸２ａを正回転させるための電流を供給し、第１，第２のワイパブレード１０，１１が第２の反転位置Ｂにそれぞれ到達したら、第１，第２のワイパブレード１０，１１が第１の反転位置Ａの下方の格納位置Ｃにそれぞれ到達するまで、出力軸２ａを逆回転させるための電流を供給し、第１，第２のワイパブレード１０，１１が格納位置Ｃにそれぞれ到達したところで電流の供給をカットオフする。
【００１３】
モータアーム３には、図２に示されるように、板形にされたモータアーム本体３ａが備えられている。モータアーム本体３ａの基端の中央部には、丸孔形の出力軸取付孔３ｂが形成されている。モータアーム本体３ａの先端の中央部には、丸孔形の枢軸取付孔３ｃが形成されている。枢軸取付孔３ｃの外側には、回動規制機構６の一部を構成するピン１２がモータアーム本体３ａに一体的に突出形成されている。出力軸取付孔３ｂは、ワイパモータ２の出力軸２ａに通されてから、図示しないナットがその出力軸２ａにねじ込まれることにより出力軸２ａに固定されている。枢軸取付孔３ｃには、枢軸４に備えられたモータアーム固定部４ａが圧入固定されている。
【００１４】
偏芯メタル部材５には、図２に示されるように、球体の上下を切除した樽形状の偏芯メタル部材本体５ａが備えられている。偏芯メタル部材本体５ａには、図３（ａ）に示されるように、偏芯メタル部材本体５ａの外形中心５ａ０に対し距離Ｌ１だけ離れた位置に孔中心５ｂ０をもつ枢軸孔５ｂが形成されている。枢軸孔５ｂは、偏芯メタル部材本体５ａの上下に貫通している。枢軸孔５ｂには、枢軸４が挿通されている。偏芯メタル部材本体５ａのモータアーム３側の底部には、回動規制機構６の他の一部を構成する回動範囲規制部１３が一体に形成されている。この回動範囲規制部１３は、円弧状の切欠き形にされ、ピン１２を遊嵌しており、両端部に形成された第１，第２のピン衝突部１３ａ，１３ｂにピン１２が衝突する１５０度の範囲でもって、モータアーム３に対する偏芯メタル部材５の相対的な偏芯回動を許容する。つまり、回動範囲規制部１３の第１のピン衝突部１３ａがピン１２に衝突している図３（ａ）の状態では、モータアーム３上において、出力軸取付孔３ｂの孔中心３ｂ０から偏芯メタル部材５の外形中心５ａ０までが、最も短いアームピッチを設定するための長さ寸法Ｌ２にされており、これに反して、回動範囲規制部１３の第２のピン衝突部１３ｂがピン１２に衝突している図３（ｂ）の状態では、モータアーム３上において、出力軸取付孔３ｂの孔中心３ｂ０から偏芯メタル部材５の外形中心５ａ０までが、最も長いアームピッチを設定するための長さ寸法Ｌ３にされる。
【００１５】
偏芯メタル部材５（偏芯メタル部材本体５ａ）には、第１のリンクコンロッド１４の一端部に取付けられたリテーナとしての第１のボールリテーナ１８が球面対偶を介して回動可能に連結されているため、偏芯メタル部材５は、枢軸４に自由に回動可能に支持され、且つ、偏芯によるモーメントが偏芯メタル部材５を保持するフリクションによるモーメントよりも小さくなっている。偏芯メタル部材５は、上記のモーメントにより、モータアーム３が回転する際に与えられるモーメントと、第１のリンクコンロッド１４より与えられるモーメントとにより偏芯回動することによって、上記のアームピッチの変更を行って、モータアーム３と第１のリンクコンロッド１４とのレバー比を変更する。
【００１６】
第１のリンクコンロッド１４の一端部には、第１のボールリテーナ１８が配置され、他端部には、第２のボールリテーナ１９が取付けられている。第２のボールリテーナ１９には、第１のピボットアーム１５の先端部寄りに設けられた図示しない第１のボールピンが球面対偶を介して結合されている。第１のピボットアーム１５の基端部には、図示しない第１のピボット軸が結合され、その先端部には、図示しない第２のボールピンが設けられている。第１のピボット軸は、ウインドスクリーン６０の下方に突出して配置され、第２のワイパアーム９の基端部がねじ止めされている。第２のワイパアーム９の先端部には、第２のワイパブレード１１が装着されている。第２のワイパブレード１１は、第２のワイパアーム９に内蔵された図示しないアームスプリングによってウインドスクリーン６０上の払拭面５０に押し付けられる。
【００１７】
第１のピボットアーム１５の先端部に設けられた図示しない第２のボールピンには、第２のリンクコンロッド１６の一端部に取付けられた第３のボールリテーナ２０が球面対偶を介して結合されている。第２のリンクコンロッド１６の一端部には、第３のボールリテーナ２０が配置され、他端部には、第４のボールリテーナ２１が取付けられている。第４のボールリテーナ２１は、第２のピボットアーム１７の先端部に設けられた図示しない第３のボールピンが球面対偶を介して結合されている。第２のピボットアーム１７の基端部には、図示しない第２のピボット軸が結合されている。第２のピボット軸は、ウインドスクリーン６０の下方に突出して配置され、第１のワイパアーム８の基端部がねじ止めされている。第１のワイパアーム８の先端部には、第１のワイパブレード１０が装着されている。第１のワイパブレード１０は、第１のワイパアーム８に内蔵された図示しないアームスプリングによってウインドスクリーン６０上の払拭面５０に押し付けられる。
【００１８】
第１，第２のリンクコンロッド１４，１６は、モータアーム３の回転動力を第１，第２のピボットアーム１５，１７の往復回動にそれぞれ変換するため、第１，第２のワイパアーム８，９がウインドスクリーン６０上を往復で揺動され、第１，第２のワイパブレード１０，１１によってウインドスクリーン６０上の払拭面５０が拭われる。
【００１９】
このようなワイパ装置１では、第１，第２のワイパブレード１０，１１が格納位置Ｃにある不使用時に、図４（ａ）に示されるように、モータアーム３は、位置ａ１にあり、偏芯メタル部材５の回動範囲規制部１３の第２のピン衝突部１３ｂがピン１２に衝突して回動を規制されているので、モータアーム３上において、最も長いアームピッチが設定されている。
【００２０】
ワイパ制御回路のワイパスイッチがオンされると、ワイパモータ２の出力軸２ａ、モータアーム３が図４（ａ）に示される位置ａ１から矢印の時計回転方向に正回転を始め、第１，第２のワイパブレード１０，１１が格納位置Ｃから第１の反転位置Ａを通って第２の反転位置Ｂに向け往動を開始する。モータアーム３が、図４（ｂ）に示される位置ａ２、図４（ｃ）に示される位置ａ３、図４（ｄ）に示される位置ａ４、図４（ｅ）に示される位置ａ５、図４（ｆ）に示される位置ａ６まで回動することによって、第１，第２のワイパブレード１０，１１が第２の反転位置Ｂに到達するまでの間、偏芯メタル部材５は、回動範囲規制部１３の第１のピン衝突部１３ａがピン１２に衝突するまで、第１のボールリテーナ１８に保持されたままで第１のボールリテーナ１８に対して回動されずにモータアーム３との相対的な位置が徐々に変更され、モータアーム３が図４（ｆ）に示される位置ａ６に到達することによって第１，第２のワイパブレード１０，１１が第２の反転位置Ｂに到達したところで、モータアーム３上において、最も短いアームピッチに設定変更される。
【００２１】
モータアーム３が、図４（ｆ）に示される位置ａ６から、図５（ｇ）に示される位置ａ７、図５（ｈ）に示される位置ａ８、図５（ｉ）に示される位置ａ９、図５（ｊ）に示される位置ａ１０、図５（ｋ）に示される位置ａ１１、図５（ｍ）に示される位置ａ１２、図６（ｎ）に示される位置ａ１３まで引続き時計回転方向に正回転することによって、第１，第２のワイパブレード１０，１１が第２の反転位置Ｂで反転して第１の反転位置Ａまで復動を行う。このとき、第１，第２のワイパブレード１０，１１が第２の反転位置Ｂを離れようとするときであるモータアーム３が図４（ｆ）に示される位置ａ６から図５（ｇ）に示される位置ａ７まで回転するとき、即ち、第２の反転位置Ｂでの反転直後に偏芯メタル部材５に、第１のリンクコンロッド１４からのリンク荷重が第１のボールリテーナ１８を介してかけられているが、この偏芯メタル部材５に一体に有する回動範囲規制部１３の第１のピン衝突部１３ａがピン１２に衝突しているため、該偏芯メタル部材５は、第１のボールリテーナ（リテーナ）１８に対して瞬間的に自ら回動し、図５（ｇ）に示されるように、回動範囲規制部１３の第２のピン衝突部１３ｂがピン１２に近づく位置まで図中時計回転方向に瞬間的に回動される。円弧状の切欠き形にされた回動範囲規制部１３の第１のピン衝突部１３ａがピン１２から離れ、第２のピン衝突部１３ｂが該ピン１２に近づくまでの間、第１，第２のワイパブレード１０，１１は、第２の反転位置Ｂにおいて停止したままとなるが、第１の反転位置Ａに向けて払拭動を始めてからの途中ではないので、払拭中の第１，第２のワイパブレード１０，１１が一時的に停止するような動きにならない。モータアーム３が、図５（ｈ）に示される位置ａ８、図５（ｉ）に示される位置ａ９、図５（ｊ）に示される位置ａ１０、図５（ｋ）に示される位置ａ１１、図５（ｍ）に示される位置ａ１２、図６（ｎ）に示される位置ａ１３まで引続き時計回転方向に正回転する際、偏芯メタル部材５は、モータアーム３との相対的な位置が徐々に変更されるように図中時計回転方向に徐々に回動され、回動範囲規制部１３の第１のピン衝突部１３ａがピン１２に衝突することにより回動が規制される。
【００２２】
第１，第２のワイパブレード１０，１１が第１の反転位置Ａに到達してからも、モータアーム３は、図中時計回転方向に回転を続けるため、図６（ｎ）に示される位置ａ１３から、図６（ｐ）に示される位置ａ１４、図６（ｑ）に示される位置ａ１５、図６（ｒ）に示される位置ａ１６、図６（ｓ）に示される位置ａ１７、図６（ｔ）に示される位置ａ１８、図６（ｕ）に示される位置ａ６まで回動することによって、第１，第２のワイパブレード１０，１１が第１の反転位置Ａで反転して第２の反転位置Ｂまで往動を行う。このとき、第１，第２のワイパブレード１０，１１が第１の反転位置Ａを離れようとするときであるモータアーム３が図６（ｎ）に示される位置ａ１３から図６（ｐ）に示される位置ａ１４まで回転するとき、即ち、第１の反転位置Ａでの反転直後に偏芯メタル部材５に、第１のリンクコンロッド１４からのリンク荷重が第１のボールリテーナ１８を介してかけられているが、この偏芯メタル部材５に一体に有する回動範囲規制部１３の第１のピン衝突部１３ａがピン１２に衝突しているため、該偏芯メタル部材５は、第１のボールリテーナ（リテーナ）１８に対して瞬間的に自ら回動し、図６（ｐ）に示されるように、回動範囲規制部１３の第２のピン衝突部１３ｂがピン１２に近づく位置まで図中時計回転方向に瞬間的に回動される。回動範囲規制部１３の第１のピン衝突部１３ａがピン１２から離れ、第２のピン衝突部１３ｂが該ピン１２に近づくまでの間、第１，第２のワイパブレード１０，１１は、第１の反転位置Ａにおいて停止したままとなるが、第２の反転位置Ｂに向けて払拭動を始めてからの途中ではないので、払拭中の第１，第２のワイパブレード１０，１１が一時的に停止するような動きにならない。モータアーム３が、図６（ｑ）に示される位置ａ１５、図６（ｒ）に示される位置ａ１６、図６（ｓ）に示される位置ａ１７、図６（ｔ）に示される位置ａ１８、図６（ｕ）に示される位置ａ６まで引続き時計回転方向に正回転する際、偏芯メタル部材５は、モータアーム３との相対的な位置が徐々に変更されるように図中時計回転方向に徐々に回動され、回動範囲規制部１３の第１のピン衝突部１３ａがピン１２に衝突することにより回動が規制される。モータアーム３は、さらに回動を続けるため、第１，第２のワイパブレード１０，１１が第１の反転位置Ａで反転され、上記と同様にして、第１，第２の反転位置Ａ，Ｂ間を繰り返し払拭作動される。この間、偏芯メタル部材５は、モータアーム３上において、最も短いアームピッチに設定されたままとなる。
【００２３】
第１，第２のワイパブレード１０，１１により払拭面５０を拭っている途中において、ワイパスイッチがオフされると、第１，第２のワイパブレード１０，１１が第２の反転位置Ｂに到達するまでは、ワイパ格納回路によりワイパモータ２に出力軸２ａを正回転させるための電流が供給され、第１，第２のワイパブレード１０，１１が第２の反転位置Ｂに到達したところで、ワイパモータ２の出力軸２ａが逆回転されてモータアーム３が逆回転を始める。すると、モータアーム３は、図７（ｖ）に示される位置ａ６、図７（ｗ）に示される位置ａ４、図７（ｘ）に示される位置ａ３、図７（ｙ）に示される位置ａ２、図７（ｚ）に示される位置ａ１まで図中反時計回転方向に回転され、第１，第２のワイパブレード１０，１１が第２の反転位置Ｂから第１の反転位置Ａを通って格納位置Ｃに向け移動される。モータアーム３が、図７（ｖ）に示される位置ａ６から図７（ｚ）に示される位置ａ１まで回動する際、偏芯メタル部材５は、回動範囲規制部１３の第１のピン衝突部１３ｂがピン１２に衝突するまで、第１のボールリテーナ１８に保持されたままで第１のボールリテーナ１８に対して相対的な回動をせずにモータアーム３との相対的な位置が変更されるように回動され、モータアーム３上において、最も長いアームピッチに設定変更される。そして、モータアーム３が図７（ｚ）に示される位置ａ１まで回動されることによって、第１、第２のワイパブレード１０，１１が格納位置Ｃにそれぞれ到達したところで、ワイパ制御回路によりワイパモータ２に対する電流の供給がカットオフされ、第１，第２のワイパブレード１０，１１が格納位置Ｃにて停止する。
【００２４】
上述したように、偏芯メタル部材５は、第１，第２のワイパブレード１０，１１の第１，第２の反転位置Ａ，Ｂでの反転と同時的にリンク機構７からリンク荷重がかけられると、第１のボールリテーナ１８に対し１５０度の回動範囲でもって自ら回動される。それ故、第１，第２のワイパブレード１０，１１が第１の反転位置Ａや第２の反転位置Ｂで反転した後の払拭面５０上を払拭中の位置では、偏芯メタル部材５は第１のボールリテーナ１８に対して既に回動し終わっているので、該払拭中の位置では、偏芯メタル部材５がリテーナ１８に対して相対的に回動することはなく、払拭中の第１，第２のワイパブレード１０，１１が一時的に停止するような動きをする原因にならないものとなる。
【００２５】
【発明の効果】
以上説明してきたように、この発明に係わるワイパ装置によれば、偏芯メタル部材は、ワイパブレードの第１、第２の反転位置での反転直後にリンク機構からリンク荷重がかけられると、リテーナに対し瞬間的に自ら回動される。それ故、ワイパブレードが第１の反転位置や第２の反転位置で反転した後に払拭面上を払拭中の位置では、偏芯メタル部材はリテーナに対して既に回動し終わっているので、該払拭中の位置では、偏芯メタル部材がリテーナに対して相対的に回動することはなく、払拭中のワイパブレードが一時的に停止するような動きをする原因にならない。よって、払拭中のワイパブレードが停止するような動きをすることがなく、円滑な作動を行うことができるという優れた効果を奏する。
【図面の簡単な説明】
【図１】この発明に係わるワイパ装置の一実施例の正面図である。
【図２】図１に示したワイパ装置においての偏芯メタル部材のモータアームとの組付け関係を説明する外観斜視図である。
【図３】（ａ）は図１に示したワイパ装置においての偏芯メタル部材とモータアームとの位置関係を説明する最短位置での正面図、（ｂ）は（ａ）の最長位置での正面図である。
【図４】（ａ）、（ｂ）、（ｃ）、（ｄ）、（ｅ）、（ｆ）は図１に示したワイパ装置においてのワイパブレードが格納位置から作動を開始する際のモータアームの位置に対応した偏芯メタル部材の動きを説明するそれぞれ正面図である。
【図５】（ｇ）、（ｈ）、（ｉ）、（ｊ）、（ｋ）、（ｍ）は図１に示したワイパ装置においてのワイパブレードの通常動作時でのモータアームの位置に対応した偏芯メタル部材の動きを説明するそれぞれ正面図である。
【図６】（ｎ）、（ｐ）、（ｑ）、（ｒ）、（ｓ）、（ｔ）、（ｕ）は図１に示したワイパ装置においてのワイパブレードの通常動作時でのモータアームの位置に対応した偏芯メタル部材の動きを説明するそれぞれ正面図である。
【図７】（ｖ）、（ｗ）、（ｘ）、（ｙ）、（ｚ）は図１に示したワイパ装置においてのワイパブレードが格納位置で停止する際のモータアームの位置に対応した偏芯メタル部材の動きを説明するそれぞれ正面図である。
【符号の説明】
１  ワイパ装置
２  ワイパモータ
２ａ  出力軸
３  モータアーム
４  枢軸
５  偏芯メタル部材
６  回動規制機構
７  リンク機構
１０  （ワイパブレード）第１のワイパブレード
１１  （ワイパブレード）第２のワイパブレード
１２  ピン
１３  回動範囲規制部
１３ａ  第１のピン衝突部
１３ｂ  第２のピン衝突部
１８  （リテーナ）第１のボールリテーナ
５０  払拭面
Ａ  第１の反転位置
Ｂ  第２の反転位置
Ｃ  格納位置
【図１】
0004125499.tif 000002
【図２】
0004125499.tif 000003
【図３】
0004125499.tif 000004
【図４】
0004125499.tif 000005
【図５】
0004125499.tif 000006
【図６】
0004125499.tif 000007
【図７】
0004125499.tif 000008